(57)【特許請求の範囲】
【請求項１】
シャッタ羽根と、
上記シャッタ羽根を開閉作動させるシャッタ羽根開閉部材と、
上記シャッタ羽根開閉部材に設けられ、上記シャッタ羽根を閉じ方向に付勢するための閉じバネと、
上記シャッタ羽根開閉部材を駆動する駆動源としてのモータと、
上記シャッタ羽根開閉部材と上記駆動源との間に配設され、上記駆動源からの駆動力を上記シャッタ羽根操作部材に伝達可能とする太陽ギヤを含む駆動系ギヤ列と、
上記太陽ギヤの周りに公転可能で、この公転により上記シャッタ羽根開閉部材に噛合する噛合位置と、この噛合位置から外れた非噛合位置とに位置することが可能で、上記噛合位置で上記モータの一方向回転により上記シャッタの開動作を可能とする遊星ギヤと、
上記遊星ギヤの上記噛合位置において上記遊星ギヤの公転を係止可能とする係止位置と上記遊星ギヤを上記噛合位置から解除可能とする係止解除位置とに回動する係止レバーと、
上記係止レバーを上記係止位置と上記係止解除位置とに回動させるためのプランジャと、
を具備し、上記レバーによって上記係止位置にある上記遊星ギヤの上記噛合位置で上記閉じバネの付勢力に逆らって上記モータの上記一方向の回転を受けるシャッタ羽根開閉部材によって上記シャッタ羽根は開動作を行ない、上記シャッタ羽根を閉じるときには、上記係止レバーを上記係止位置から上記係止解除位置へ回動させるため上記プランジャに通電するのに同期して、上記一方向の回転をしている上記モータの電圧を高くして上記遊星ギヤを上記噛合位置から上記非噛合位置へ公転させ上記閉じバネの上記付勢力によって上記シャッタ羽根を閉じることを特徴とするシャッタ機構。
【発明の詳細な説明】
【０００１】
【発明の属する技術分野】
本発明は、駆動源で直接的にシャッタ羽根を開方向に駆動するシャッタ機構に関するものである。
【０００２】
【従来の技術】
従来、シャッタの駆動機構としては、例えば特開平２−４２４２７号公報により開示されたようなモータの正逆転によりシャッタ羽根の開閉を行うモータシャッタや、プランジャへの通電をＯＮ／ＯＦＦすることでシャッタ羽根の開閉を行うプランジャシャッタに関する技術がある。
【０００３】
上記プランジャシャッタの場合、シャッタ羽根を開閉作動させるレバー部材の一端を鉄心の端部にバネで押し当て、レバー部材が鉄心と連動するように構成し、鉄心に圧縮コイルバネを取り付け、鉄心を常にプランジャから引き離すような力を加えている。そして、プランジャに通電すると、圧縮コイルバネのバネ力に打ち勝つ磁力が働き、鉄心を吸着する。この時、レバー部材はバネ力によって駆動され、シャッタ羽根が開く。そして、プランジャへの通電を断つと、磁力が無くなり、圧縮コイルバネのバネ力により鉄心が離れ、シャッタ羽根が閉じる。
【０００４】
【発明が解決しようとする課題】
しかしながら、上記モータシャッタの場合、モータを正転させてシャッタ羽根を開き、逆転させてシャッタ羽根を閉じる機構になっているが、モータを逆転させると、コギングによりモータ逆転の信号が入ってから実際にシャッタ羽根が閉じ始めるまでの時間にばらつきが生じる結果、露出時間が不安定になるといった問題が生じていた。
【０００５】
さらに、上記プランジャシャッタの場合、プランジャは鏡枠の小型化のため巻数の少ないものになっている。従って、通電した時の吸着力が弱く、圧縮コイルバネも力量の弱いものを用いなければならない。その結果、シャッタ羽根を閉じる方向に付勢する力が弱く、閉じ遅れや、閉じ時間にばらつきが生じ易く、露光量がばらつくといった問題が生じていた。
【０００６】
本発明は上記問題に鑑みてなされたもので、その目的とするところは、シャッタ羽根の閉じ始めるタイミングを一定として、露出時間の安定化を図ったシャッタ機構を提供することにある。
【０００７】
【課題を解決するための手段】
上記目的を達成するために、本発明の一態様によるシャッタ機構は、シャッタ羽根と、上記シャッタ羽根を開閉作動させるシャッタ羽根開閉部材と、上記シャッタ羽根開閉部材に設けられ、上記シャッタ羽根を閉じ方向に付勢するための閉じバネと、上記シャッタ羽根開閉部材を駆動する駆動源としてのモータと、上記シャッタ羽根開閉部材と上記駆動源との間に配設され、上記駆動源からの駆動力を上記シャッタ羽根操作部材に伝達可能とする太陽ギヤを含む駆動系ギヤ列と、上記太陽ギヤの周りに公転可能で、この公転により上記シャッタ羽根開閉部材に噛合する噛合位置と、この噛合位置から外れた非噛合位置とに位置することが可能で、上記噛合位置で上記モータの一方向回転により上記シャッタの開動作を可能とする遊星ギヤと、上記遊星ギヤの上記噛合位置において上記遊星ギヤの公転を係止可能とする係止位置と上記遊星ギヤを上記噛合位置から解除可能とする係止解除位置とに回動する係止レバーと、上記係止レバーを上記係止位置と上記係止解除位置とに回動させるためのプランジャと、を具備し、上記レバーによって上記係止位置にある上記遊星ギヤの上記噛合位置で上記閉じバネの付勢力に逆らって上記モータの上記一方向の回転を受けるシャッタ羽根開閉部材によって上記シャッタ羽根は開動作を行ない、上記シャッタ羽根を閉じるときには、上記係止レバーを上記係止位置から上記係止解除位置へ回動させるため上記プランジャに通電するのに同期して、上記一方向の回転をしている上記モータの電圧を高くして上記遊星ギヤを上記噛合位置から上記非噛合位置へ公転させ上記閉じバネの上記付勢力によって上記シャッタ羽根を閉じることを特徴とする。
【０００９】
上記一態様に係るシャッタ機構は以下の作用を奏する。
即ち、上記レバーによって上記係止位置にある上記遊星ギヤの上記噛合位置で上記閉じバネの付勢力に逆らって上記モータの上記一方向の回転を受けるシャッタ羽根開閉部材によって上記シャッタ羽根の開動作が行われ、上記シャッタ羽根を閉じるときには、上記係止レバーを上記係止位置から上記係止解除位置へ回動させるため上記プランジャに通電するのに同期して、上記一方向の回転をしている上記モータの電圧を高くして上記遊星ギヤを上記噛合位置から上記非噛合位置へ公転させ上記閉じバネの上記付勢力によって上記シャッタ羽根が閉じられる。
【００１１】
【発明の実施の形態】
以下、図面を参照して、本発明の実施の形態について説明する。
図１及び図２には本発明の実施の形態に係るシャッタ機構の構成を示し説明する。尚、図１は遊星ギヤ５がＡＦギヤ７と噛合している状態を示しており、図２は遊星ギヤ５がＡＥギヤ３と噛合している状態を示している。
【００１２】
これらの図において、このシャッタ機構では、駆動源であるモータ１３の回転軸上に設けられた不図示のピニオンギヤはアイドルギヤ１６と噛合し、該アイドルギヤ１６は段ギヤ１７と噛合し、該段ギヤ１７は段ギヤ１８と噛合している。そして、この段ギヤ１７，１８は減速機構を構成している。
【００１３】
上記段ギヤ１８は太陽ギヤ４と噛合し、該太陽ギヤ４の上方には太陽ギヤ４の回転軸を中心として回動するためのキャリア６が配設されている。そして、このキャリア６には不図示の軸が突設されており、この軸に遊星ギヤ５が嵌合している。この遊星ギヤ５は上記太陽ギヤ４と噛合している。これら太陽ギヤ４、遊星ギヤ５、キャリア６は遊星クラッチ機構を構成しており、太陽ギヤ４が回転すると遊星ギヤ５は、その周りを公転するように動くようになっている。
【００１４】
上記遊星クラッチ機構を中心として、左右に２つのギヤが配設されており、一方はＡＦ用のギヤであり、他方はＡＥ用のギヤである。ＡＦ用のギヤであるＡＦギヤ７は、それ自身の回転でレンズを保持している不図示のレンズ枠を移動させるものである。一方、ＡＥ用のギヤであるＡＥギヤ３は、腕部３ａを有しており、その先端にシャッタピン３ｂが突出されている。シャッタ３ｂはシャッタ羽根１，２に設けられた長穴１ｂ，２ｂに嵌合し、上記ＡＥギヤ３が回転するとシャッタ羽根１，２はそれぞれピン１ａ，２ａを中心として回転する。
【００１５】
ＡＥギヤ３の腕部３ａには、更にシャッタ羽根１，２を閉じる方向にＡＥギヤ３を付勢する閉じバネ１２が取り付けられている。この閉じバネ１２の力量を強くすることで、強い衝撃等でシャッタ羽根が開くのを防ぐことができる。また、シャッタ羽根１の足部分には、ＡＥＰＩ１９が配設されている。
【００１６】
上記シャッタ羽根１，２を中心に、ＡＥギヤ３とは反対側にプランジャ９が配置されており、圧縮バネ１１を取り付けた鉄心１０がプランジャ９のコイル中心に挿入されている。上記鉄心１０の先端には係止レバー８の一端に設けられたボス８ｂが嵌合している。また、係止レバー８の他端には遊星クラッチを係止するためのボス８ａが配設されている。
【００１７】
以下、図３のタイムチャートを参照して各要素の動作を詳細に説明する。
図１を初期状態とし、上記モータ１３をＣＷ駆動すると、ＡＦギヤ７がＢ方向に回転し、不図示のレンズ枠は繰り込み方向に移動し、不図示の停止部材に確実に当接した後、モータ１３をＣＣＷ駆動する。
【００１８】
上記モータ１３がＣＣＷ駆動すると、ＡＦギヤ７はＡ方向に回転し、不図示のレンズ枠は合焦点位置まで移動し、その後モータ１３を停止する。そして、プランジャ９に通電すると、鉄心１０が吸着され、係止レバー８が８ｃを回転中心としてＣ方向に回動し、遊星クラッチの係止が外れる。
【００１９】
ここで、モータ１３をＣＣＷ駆動すると、太陽ギャ４はＤ方向に回転し、遊星クラッチはＡＥギヤ３側に切り替わる。即ち、図１に示される状態から図２に示される状態となる。この時、モータ１３はＣＣＷ駆動しているため、遊星ギヤ５がＡＥギヤ３と噛合して、ＡＥギヤ３はＦ方向に回転し、腕部３ａが停止部材１４に当接する。この後、プランジャ９への通電を断つと、鉄心１０の吸着によってチャージされた圧縮バネ１１のバネ力によって、鉄心１０はプランジャ９から離れる。これに連動して、係止レバー８は８ｃを回転中心として回動し、遊星クラッチを再び係止する。
【００２０】
こうして遊星クラッチを再び係止した後、モータ１３を一端停止させ、次にモータ１３をＣＷ駆動させる。すると、ＡＥギヤ３は閉じバネ１２のバネ力に逆らってＧ方向に回転し、シャッタ羽根１，２が開く。シャッタ羽根１，２が全開になるときは、ＡＥギヤ３の腕部３ａが停止部材１５に当接する。
【００２１】
シャッタ羽根１，２を閉じる時は、プランジャ９に通電し、鉄心１０を吸着させ、係止レバー８を回動させ、遊星クラッチの係止を外す。ＡＥギヤ３には、シャッタ羽根１，２を閉じる方向に閉じバネ１２のバネ力が働き、バネ力によりＡＥギヤ３はＦ方向に回転し、遊星ギヤ５との噛合が外れる。
【００２２】
こうして遊星ギヤ５との噛合が外れると、ＡＥギヤ３への駆動力伝達が断たれるため、モータ１３のコギングの影響を受けずに閉じバネ１２のバネ力でのみシャッタ羽根１，２が閉じられる。また、シャッタ羽根１，２を閉じるときに、プランジャ９への通電と同期してモータ１３への印加電圧を上げると、遊星ギヤ５との噛合が速く外れる。
【００２３】
その後、モータ１３の駆動を停止させ、ＡＥＰＩ１９の信号が切り替わると、再びモータ１３をＣＷ駆動させる。このモータ１３のＣＷ駆動により、太陽ギヤ４はＥ方向に回転するため、遊星クラッチはＡＦギヤ７側に切り替わる。遊星ギヤ５がＡＦギヤ７と噛合すると、ＡＦギヤ７はＢ方向に回転し、合焦点位置にある不図示のレンズ枠を初期位置まで移動させる。この後にモータ１３を停止させ、一連のシーケンスが終了する。
【００２４】
以上詳述したように、本発明のシャッタでは、シャッタ羽根を閉じる際、駆動系ギヤ列をシャッタ羽根操作部材から切り離すことで、シャッタ羽根が閉じ始めるタイミングを一定にすることができ、露出時間を安定化することができる。更に、切り離すときにモータの印加電圧を上げることにより、露出時間はより安定することになる。
【００２５】
【発明の効果】
本発明によれば、シャッタ羽根の閉じ始めるタイミングを一定として、露出時間の安定化を図ったシャッタ機構を提供することができる。
【図面の簡単な説明】
【図１】本発明の実施の形態に係るシャッタ機構の構成を示す図である。
【図２】本発明の実施の形態に係るシャッタ機構の構成を示す図である。
【図３】実施の形態に係るシャッタ機構の動作を示すタイミングチャートである。
【符号の説明】
１，２  シャッタ羽根
１ａ，２ａ  ピン
１ｂ，２ｂ  長穴
３  ＡＥギヤ
３ａ  腕部
３ｂシャッタピン
４  太陽ギヤ
５  遊星ギヤ
６  キャリア
７  ＡＦギヤ
８  係止レバー
８ａ，８ｂ  ボス
９  プランジャ
１０  鉄心
１１  圧縮バネ
１２  閉じバネ
１３  モータ
１４，１５  停止部材
１６  アイドルギヤ
１７  段ギヤ
１８  段ギヤ
１９  ＡＥＰＩ
【図１】
0003686723.tif 000002
【図２】
0003686723.tif 000003
【図３】
0003686723.tif 000004